(57)【要約】【課題】  ローノイズで立ち上がり・立ち下がり時間が速くエッジのきれいなデジタルオーディオ信号の伝送を可能とする。【解決手段】  送信機１から送信されるデジタルオーディオ信号をデジタル受信機が備えるＤＡコンバータ２に伝送する信号伝送装置１０において、波形成形機能を有する入力バッファ回路１１０および出力バッファ回路１２０を含み所定の直流電源１３０で動作する伝送器本体１００と、伝送器本体１００の出力側から引き出されＤＡコンバータ２に接続される出力用同軸ケーブル２００とを備え、出力用同軸ケーブル２００にステンレスやニクロム線などからなる導体抵抗の高い同軸ケーブルを用い、入力バッファ回路１１０にて波形成形されたパルスの電圧を上記導体抵抗によりもとの入力電圧にまで落としてＤＡコンバータ２に伝送する。【選択図】  図１
2006025142.tif 000002
【特許請求の範囲】
【請求項１】
送信機から送信されるデジタルオーディオ信号をデジタル受信機が備えるＤＡコンバータに伝送するデジタルオーディオ用の信号伝送装置において、
入力バッファ回路および出力バッファ回路を含み所定の直流電源で動作する伝送器本体と、上記伝送器本体の出力側から引き出され上記ＤＡコンバータに接続される出力用同軸ケーブルとを備え、
上記入力バッファ回路は上記デジタルオーディオ信号を波形成形する波形成形回路を含むとともに、上記出力用同軸ケーブルは出力抵抗を介して上記出力バッファ回路に接続され、上記出力用同軸ケーブルは全長にわたって所定の導体抵抗を示す芯線を有し、上記ＤＡコンバータに入力される波形成形後のデジタルオーディオ信号の電圧レベルが、上記出力抵抗と上記出力用同軸ケーブルの導体抵抗との合成抵抗により、上記入力バッファ回路に入力される波形成形前のデジタルオーディオ信号の電圧レベルにまで引き下げられることを特徴とするデジタルオーディオ用の信号伝送装置。
【請求項２】
上記出力用同軸ケーブルの導体抵抗が１メートルあたり５０〜２００Ωを示す請求項１に記載のデジタルオーディオ用の信号伝送装置。
【請求項３】
上記出力抵抗が上記合成抵抗の調整用可変抵抗器からなる請求項１または２に記載のデジタルオーディオ用の信号伝送装置。
【請求項４】
上記送信機から送信されるデジタルオーディオ信号が同軸ケーブルおよび／または光ケーブルを介して上記入力バッファ回路に入力される請求項１，２または３に記載のデジタルオーディオ用の信号伝送装置。
【発明の詳細な説明】
【技術分野】
【０００１】
本発明はデジタルオーディオ用の信号伝送装置に関し、さらに詳しく言えば、ローノイズ・ハイスピードを実現するデジタルオーディオ用の信号伝送装置に関するものである。
【背景技術】
【０００２】
デジタル信号はノイズに強くビットの修復なども容易であることから、オーディオ分野においてもデジタル化が進められており、最近のＣＤプレーヤーなどでは光出力を含めてデシタル出力端子を備えているものが多数商品化されている。一方で、スピーカなどの受信側はアナログで動作するため、ＤＡコンバータにてデシタル信号をアナログ信号に変換している。
【０００３】
一般的にデジタルオーディオ信号の伝送には同軸ケーブルが用いられ、その一例として図３にＣＤプレーヤ１とアンプ側のＤＡコンバータ２とを同軸ケーブル３にて接続する場合を模式的に示す。
【０００４】
同軸ケーブル３の導体抵抗が大きいとパルス信号のレベルが減衰されデジタルオーディオ信号の伝送安定性が損なわれるため、従来では例えば特許文献１に記載されているような芯線が巨大結晶構造の無酸素銅からなり、導体抵抗が限りなく０Ωに近い同軸ケーブルが好ましく採用されている。
【０００５】
デジタルオーディオの入出力回路はマッチング抵抗を７５Ωとして設計され、その接続コネクタにはオーディオ用のＲＣＡピンジャックが用いられるが、厳密に言うと実際には７５Ωになっていない場合が多く、これが信号反射の原因となる。
【０００６】
したがって、ＣＤプレーヤ１側から図４（ａ）に示すように通常のごとく立ち上がり・立ち下がりが急峻なパルスを同軸ケーブル３を介して送信すると、接続部分での反射により同軸ケーブル３内に定在波が発生し、図４（ｂ）に示すようにＤＡコンバータ２側で受信されるパルスの立ち上がり・立ち下がり部分にリンキング（波形の乱れ）が生ずることがある。
【０００７】
上記接続部分での反射による定在波は同軸ケーブル３の導体抵抗がほぼ０Ωに近いほど大きく現れるが、いずれにしてもリンキングは往々にして高調波を伴うため、それによって受信側の電源などが揺すぶられノイズが発生することがある。リンキングは特にパルスの立ち上がり・立ち下がり部分で発生する。
【０００８】
そこで、これを防止するための方法の一つとして、ＣＤプレーヤ１のデシタル出力端子に例えばＣＲ時定数回路を設けて、図４（ｃ）に示すように出力するパルスの立ち上がり・立ち下がり部分を滑らかにすることが行われている。これによれば、リンキングがある程度少なくなるものの、他方において次のような別の問題が生ずる。
【０００９】
すなわち、受信側ではＤＡコンバータ２内の図示しないＰＬＬ（Ｐｈａｓｅ  Ｌｏｃｋｅｄ  Ｌｏｏｐ；位相同期）回路で、デジタルオーディオ信号パルスに含まれているインターフェイス信号に基づいて内部クロックを生成するようにしているが、上記したようにパルスの立ち上がり・立ち下がり部分が鈍らされていることにより、正確にインターフェイス信号を検出できず、受信側の内部クロックに時間的なずれ（ジッタずれ）が起こり再生音質が悪くなる。
【００１０】
【特許文献１】特開平６−２００３５８号公報
【発明の開示】
【発明が解決しようとする課題】
【００１１】
したがって、本発明の課題は、ローノイズで立ち上がり・立ち下がり時間が速くエッジのきれいなデジタルオーディオ信号の伝送を可能とするデジタルオーディオ用の信号伝送装置を提供することにある。
【課題を解決するための手段】
【００１２】
上記課題を解決するため、本発明は、送信機から送信されるデジタルオーディオ信号をデジタル受信機が備えるＤＡコンバータに伝送するデジタルオーディオ用の信号伝送装置において、入力バッファ回路および出力バッファ回路を含み所定の直流電源で動作する伝送器本体と、上記伝送器本体の出力側から引き出され上記ＤＡコンバータに接続されるた出力用同軸ケーブルとを備え、上記入力バッファ回路は上記デジタルオーディオ信号を波形成形する波形成形回路を含むとともに、上記出力用同軸ケーブルは出力抵抗を介して上記出力バッファ回路に接続され、上記出力用同軸ケーブルは全長にわたって所定の導体抵抗を示す芯線を有し、上記ＤＡコンバータに入力される波形成形後のデジタルオーディオ信号の電圧レベルが、上記出力抵抗と上記出力用同軸ケーブルの導体抵抗との合成抵抗により、上記入力バッファ回路に入力される波形成形前のデジタルオーディオ信号の電圧レベルにまで引き下げられることを特徴としている。
【００１３】
本発明において、上記出力用同軸ケーブルの導体抵抗が１メートルあたり５０〜２００Ωであることが好ましい。また、上記出力用同軸ケーブルの導体抵抗はその長さによって異なるため、上記出力抵抗を可変抵抗器として上記合成抵抗を調整可能とすることが好ましい。また、上記入力バッファ回路には上記送信機から送信されるデジタルオーディオ信号が同軸ケーブルおよび／または光ケーブルを介して入力されてよい。
【発明の効果】
【００１４】
本発明によれば、送信機側から例えば図４（ｃ）に示すようなエッジが鈍らされたデジタルオーディオ信号が入力されると、入力バッファ回路の波形成形回路により立ち上がり・立ち下がり時間が速くてエッジがきれいなパルス波形が生成される。このパルス波形は伝送器本体の動作電圧をもつが、出力用同軸ケーブルが有する導体抵抗と出力抵抗とにより入力バッファ回路の入力段の電圧にまで落とされ、また、接続部での反射は出力用同軸ケーブルの導体抵抗により消失されるため、ＤＡコンバータに対してローノイズで立ち上がり・立ち下がり時間が速くエッジのきれいなデジタルオーディオ信号を伝送することができる。これにより、音質の向上とりわけ音像の定位・解像度感がよくなる。
【発明を実施するための最良の形態】
【００１５】
次に、図１および図２により本発明の実施形態について説明するが、本発明はこれに限定されるものではない。図１に本発明による信号伝送装置１０により送信機である例えばＣＤプレーヤー１から出力されるデシタルオーディオ信号を受信機である例えばアンプのＤＡコンバータ２に伝送する例を示し、これについて説明する。
【００１６】
この信号伝送装置１０には、基本的な構成として伝送器本体１００と出力用同軸ケーブル２００とが含まれている。伝送器本体１００は、入力バッファ回路１１０および出力バッファ回路１２０と、これら各バッファ回路に動作電源を供給する直流電源１３０とを備えている。直流電源１３０はバッテリもしくはＡＣ−ＤＣアダプタなどであってよく、その電圧は各バッファ回路に要求される定格動作電圧に合わせて設定されるが、この例では１．８Ｖとする。
【００１７】
この例において、信号伝送装置１０はＣＤプレーヤー１から出力されるデシタルオーディオ信号の入力バッファ回路１１０に対する入力系統として、同軸ケーブル（入力側）１０１と光ケーブル１０２の２系統を備えている。
【００１８】
このうち、入力側同軸ケーブル１０１は例えばＲＣＡピンジャックなどのコネクタ１０３を介して接続され、光ケーブル１０２は光電変換のフォトカプラ１０４を介して入力バッファ回路１１０に接続されるが、同軸ケーブル１０１による場合の入力電圧は、この例では０．５Ｖ（ｐ−ｐ（ｐｅａｋ  ｔｏ  ｐｅａｋ）；中心電圧０Ｖ）としている。なお、入力側同軸ケーブル１０１は入力バッファ回路１１０に直結されてもよい。
【００１９】
入力バッファ回路１１０には、接地との間に接続された入力抵抗１１３を有するコンデンサ１１１と、コンデンサ１１１の後段に接続される波形成形回路１１２とが含まれている。コンデンサ１１１は直流電源１３０の電圧がＣＤプレーヤー１側にかからないようにするための直流阻止用コンデンサである。この例において、波形成形回路１１２はインバータ回路からなり、０．５Ｖ（ｐ−ｐ）として入力されたデジタルオーディオ信号を１．８Ｖ（ｐ−ｐ；中心電圧０．９Ｖ）のパルス波形に成形する。
【００２０】
すなわち、ＣＤプレーヤー１からデジタルオーディオ信号が図２（ａ）に示すような図４（ａ）と同じくエッジが鈍らされたパルス波形として入力された場合、そのパルス波形から図２（ｂ）に示すような立ち上がり・立ち下がりが速くエッジのきれいな１．８Ｖ（ｐ−ｐ）のパルス波形を生成する。
【００２１】
出力バッファ回路１２０は上記波形成形回路１１２にて反転されたパルス波形をさらに反転させるためのインバータ回路からなり、上記波形成形されたパルスは出力バッファ回路１２０から出力用同軸ケーブル２００を介してアンプ側（受信側）のＤＡコンバータ２に与えられるが、出力バッファ回路１２０からの出力段階でのパルス電圧は１．８Ｖ（ｐ−ｐ）に維持されている。したがって、ＤＡコンバータ２に伝送するにあたっては、そのパルス電圧を入力バッファ回路１１０に入力されたときと同じく例えば０．５Ｖ（ｐ−ｐ）まで低下させる必要がある。
【００２２】
そのため、本発明では出力用同軸ケーブル２００にその全長にわたって所定の導体抵抗を示す芯線を有する同軸ケーブルを用いるとともに、出力バッファ回路１２０と出力用同軸ケーブル２００との間に出力抵抗２０１を接続する。出力用同軸ケーブル２００の導体抵抗は１メートルあたり５０〜２００Ωであることが好ましく、これを満足する芯線としては例えばステンレス線，ニクロム線などがある。
【００２３】
このように、本発明では出力用同軸ケーブル２００の導体抵抗により電圧降下を生じさせてパルス電圧を下げるようにしているが、出力用同軸ケーブル２００の長さや抵抗値のばらつき分を出力抵抗２０１にて調整する。このため、出力抵抗２０１には可変抵抗器を用いることが好ましいが調整後は固定されてよい。
【００２４】
なお、この例では１．８Ｖ（ｐ−ｐ）を０．５Ｖ（ｐ−ｐ）まで落とすため１メートルあたり１２３Ωの導体抵抗を示すケーブルを０．８メートル使用し、出力抵抗２０１の抵抗値を９１Ωとしている。
【００２５】
出力用同軸ケーブル２００とＤＡコンバータ２との接続には例えばＲＣＡピンジャクが用いられてよいが、本発明によれば、出力用同軸ケーブル２００が高い導体抵抗を有しているため、接続部分で生ずる反射波はその多くが導体抵抗により熱エネルギーに変換されて消失されることになる。
【００２６】
したがって、ＤＡコンバータ２に対して図２（ｃ）に示すような立ち上がり・立ち下がりが速くてローノイズのデジタルオーディオ信号の伝送が可能となる。これにより、ＤＡコンバータ２内の図示しないＰＬＬ回路がデジタルオーディオインターフェイス信号から内部クロックを生成する際の時間的なずれ（ジッター）が最小限に抑えられ、特に音像の定位・解像度感が改善される。
【図面の簡単な説明】
【００２７】
【図１】本発明によるデジタルオーディオ用の信号伝送装置の一例を示す模式的な回路構成図。
【図２】上記信号伝送装置の各部でのパルス波形を示す波形図。
【図３】同軸ケーブルを用いた従来の接続例を示す模式図。
【図４】上記従来例での送信機側のパルス波形と受信機側のパルス波形を示す波形図。
【符号の説明】
【００２８】
１  送信機（ＣＤプレーヤー）
２  受信側のＤＡコンバータ
１０  伝送装置
１００  伝送器本体
１０１  入力側同軸ケーブル
１０２  光ケーブル
１１０  入力バッファ回路
１２０  出力バッファ回路
１３０  直流電源
２００  出力側同軸ケーブル
２０１  出力抵抗
【図１】
2006025142.tif 000003
【図２】
2006025142.tif 000004
【図３】
2006025142.tif 000005
【図４】
2006025142.tif 000006